(57)【特許請求の範囲】
【請求項１】
壁面に吸着させる弾性材料よりなる椀形状の吸着盤と、この吸着盤の上面外周縁に当接可能に配置される基部およびこの基部に対して回転操作可能に配置される操作部よりなる保持具本体とを備え、前記操作部および前記基部間と、前記基部の外周位置とにシャワーホース保持部を設け、吸着盤の前記上面外周縁に前記基部を当接させた状態で、かつ、前記操作部を回転させながら吸着盤を壁面とは直角な方向に引き上げ、発生する吸着力により壁面に取り付けられるシャワーホース保持具に用いる回転式吸着機構であって、ねじ部を前記直角な方向に突出させた状態で、吸着盤の中央に、前記操作部の回転中心軸として機能するボルトの頭部を埋設固着し、前記基部の中央に穿設された基部中央孔ならびに前記操作部の中央に穿設された操作部中央孔に前記ボルトを遊嵌貫通させる一方、前記ねじ部はその先端にナットが螺着されて前記直角な方向に移動可能に設けられるとともに、前記ボルトに固定された板体を吸着盤に埋設固着し、更に、前記操作部は同一円周上に形成された一対の円弧状長穴を有する一方、前記操作部の回転操作により前記円弧状長穴との係合状態が解除されて前記操作部の裏面に移動し、それによって、前記操作部を壁面とは直角な方向に引き上げた状態で前記ボルトおよび板体を介して吸着盤を前記直角な方向に引き上げることにより、吸着盤の中央部に吸着力を発生させうる一対の突起片を前記基部の前面に設けたことを特徴とするシャワーホース保持具に用いる回転式吸着機構。
【請求項２】
壁面に吸着させる弾性材料よりなる椀形状の吸着盤を備えた一対のホルダと、両端がそれぞれ前記ホルダに保持された棒体とよりなり、前記各ホルダは吸着盤の上面外周縁に当接可能に配置される基部およびこの基部に対して回転操作可能に配置される操作部ならびに棒体保持部よりなる保持具本体とを備え、吸着盤の前記上面外周縁に前記基部を当接させた状態で、かつ、前記操作部を回転させながら吸着盤を壁面とは直角な方向に引き上げ、発生する吸着力により壁面に取り付けられる握りバーに用いる回転式吸着機構であって、ねじ部を前記直角な方向に突出させた状態で、吸着盤の中央に、前記操作部の回転中心軸として機能するボルトの頭部を埋設固着し、前記基部の中央に穿設された基部中央孔ならびに前記操作部の中央に穿設された操作部中央孔に前記ボルトを遊嵌貫通させる一方、前記ねじ部はその先端にナットが螺着されて前記直角な方向に移動可能に設けられるとともに、前記ボルトに固定された板体を吸着盤に埋設固着し、更に、前記操作部は同一円周上に形成された一対の円弧状長穴を有する一方、前記操作部の回転操作により前記円弧状長穴との係合状態が解除されて前記操作部の裏面に移動し、それによって、前記操作部を壁面とは直角な方向に引き上げた状態で前記ボルトおよび板体を介して吸着盤を前記直角な方向に引き上げることにより、吸着盤の中央部に吸着力を発生させうる一対の突起片を前記基部の前面に設けたことを特徴とする握りバーに用いる回転式吸着機構。
【発明の詳細な説明】
【０００１】
【発明の属する技術分野】
この発明は、シャワーホース保持具および握りバーを弾性材料よりなる椀形状の吸盤の吸着力により簡易的に壁面に取り付けるためのシャワーホース保持具に用いる回転式吸着機構および握りバーに用いる回転式吸着機構に関するものである。
【０００２】
【従来の技術および発明が解決しようとする課題】
浴室、トイレ、寝室、玄関等に設置される従来の握りバーは、棒体の両端を保持する各ホルダをビス止めによって壁に位置決め固定されていたので、壁を傷つける上に施工性が悪かった。また、浴室等の壁に設置される従来のシャワーホース保持具にも同様の問題があった。
【０００３】
この発明は、シャワーホース保持具および握りバーの壁面への取り付け時において、ビス止めを行うことなく、簡易に着脱できるシャワーホース保持具に用いる回転式吸着機構および握りバーに用いる回転式吸着機構を提供することを目的とする。
【０００４】
【課題を解決するための手段】
上記目的を達成するために、この発明は、壁面に吸着させる弾性材料よりなる椀形状の吸着盤と、この吸着盤の上面外周縁に当接可能に配置される基部およびこの基部に対して回転操作可能に配置される操作部よりなる保持具本体とを備え、前記操作部および前記基部間と、前記基部の外周位置とにシャワーホース保持部を設け、吸着盤の前記上面外周縁に前記基部を当接させた状態で、かつ、前記操作部を回転させながら吸着盤を壁面とは直角な方向に引き上げ、発生する吸着力により壁面に取り付けられるシャワーホース保持具に用いる回転式吸着機構であって、ねじ部を前記直角な方向に突出させた状態で、吸着盤の中央に、前記操作部の回転中心軸として機能するボルトの頭部を埋設固着し、前記基部の中央に穿設された基部中央孔ならびに前記操作部の中央に穿設された操作部中央孔に前記ボルトを遊嵌貫通させる一方、前記ねじ部はその先端にナットが螺着されて前記直角な方向に移動可能に設けられるとともに、前記ボルトに固定された板体を吸着盤に埋設固着し、更に、前記操作部は同一円周上に形成された一対の円弧状長穴を有する一方、前記操作部の回転操作により前記円弧状長穴との係合状態が解除されて前記操作部の裏面に移動し、それによって、前記操作部を壁面とは直角な方向に引き上げた状態で前記ボルトおよび板体を介して吸着盤を前記直角な方向に引き上げることにより、吸着盤の中央部に吸着力を発生させうる一対の突起片を前記基部の前面に設けている。
【０００５】
また、この発明は、壁面に吸着させる弾性材料よりなる椀形状の吸着盤を備えた一対のホルダと、両端がそれぞれ前記ホルダに保持された棒体とよりなり、前記各ホルダは吸着盤の上面外周縁に当接可能に配置される基部およびこの基部に対して回転操作可能に配置される操作部ならびに棒体保持部よりなる保持具本体とを備え、吸着盤の前記上面外周縁に前記基部を当接させた状態で、かつ、前記操作部を回転させながら吸着盤を壁面とは直角な方向に引き上げ、発生する吸着力により壁面に取り付けられる握りバーに用いる回転式吸着機構であって、ねじ部を前記直角な方向に突出させた状態で、吸着盤の中央に、前記操作部の回転中心軸として機能するボルトの頭部を埋設固着し、前記基部の中央に穿設された基部中央孔ならびに前記操作部の中央に穿設された操作部中央孔に前記ボルトを遊嵌貫通させる一方、前記ねじ部はその先端にナットが螺着されて前記直角な方向に移動可能に設けられるとともに、前記ボルトに固定された板体を吸着盤に埋設固着し、更に、前記操作部は同一円周上に形成された一対の円弧状長穴を有する一方、前記操作部の回転操作により前記円弧状長穴との係合状態が解除されて前記操作部の裏面に移動し、それによって、前記操作部を壁面とは直角な方向に引き上げた状態で前記ボルトおよび板体を介して吸着盤を前記直角な方向に引き上げることにより、吸着盤の中央部に吸着力を発生させうる一対の突起片を前記基部の前面に設けたことを特徴としている。
【０００６】
【発明の実施の形態】
以下にこの発明の実施の形態について説明する。なお、この発明はそれによって限定されるものではない。
【０００７】
図１、図２は、この発明の回転式吸着機構の原理を示すための回転式吸着具であり、図３〜図５は、この発明の一実施形態を示す。
【０００８】
まず、図１、図２を用いてこの発明の回転式吸着機構について説明する。
図１、図２において、回転式吸着具１は、浴室等の壁面Ｗに吸着させる弾性材料よりなる椀形状の吸着盤２と、基部３およびこの基部３に対して回転操作可能に配置される操作部４よりなる吸着具本体と、操作部４の回転中心軸として機能するボルト６と、六角ナット７および座金８と、吸着盤２に埋設固着された板体９とから主として構成される。
【０００９】
更に、操作部４は、平面視円形で、その中央に中央孔１０が穿設されるとともに、同一円周上に一対の円弧状長穴１１，１１を有する。また、基部３は、平面視円形で、その中央に中央孔１２が穿設されるとともに、操作部４の回転操作により前記円弧状長穴１１，１１にそれぞれ操作部４の裏面ｍ側から係合する一対の突起片１３，１３を前面ｎに有する。この突起片１３は、前記長穴１１と略同一の円弧長を有し、一端に形成した突起部２５と、この突起部２５から他端に向かって円弧状のテーパ面ｔを形成しながら下降する傾斜部２６とよりなる。
【００１０】
そして、前記ボルト６は、吸着盤２の中央に頭部１４が埋設固着され、ねじ部１５を壁面Ｗとは直角な方向に突出させた状態で位置している。
【００１１】
前記基部３の内側環状部３ａの下面には、多数の鋸歯形状片が全周にわたり連続してなる鋸歯部１７が形成されている。一方、吸着盤２の上面外周縁にも前記鋸歯部１７と同様に、多数の鋸歯形状片が全周にわたり連続してなる鋸歯部１８が形成されており、鋸歯部１７，１８同士が噛合うことにより、基部３の回り止めを防止できる。
【００１２】
前記吸着盤２は、中央平坦面を有する中央部２０と、この中央部２０から斜め下方に折れ曲がった折曲部２１と、セット時に壁面Ｗに当接する当接部２２とで構成されている。
【００１３】
また、吸着盤２内の前記板体９は、前記セット時に壁面Ｗに略平行になるよう配置されており、この実施形態では中央にボルト６の貫通孔６ａを有する略円板状のものが採用されている。そして、前記ボルト６に遊嵌貫通させ、かつボルト６の前記頭部１４の裏面１４ａに固定された状態で板体９が頭部１４と共に吸着盤２に埋設されている。前記板体９は、ボルト６の頭部１４よりも長い径を有し、吸着盤２の中央部２０の領域を十分覆うことができる大きさに形成されている。
【００１４】
２３は、吸着盤２の外周側面に形成したリップ部である。
【００１５】
而して、回転式吸着具１を壁面Ｗに取り付けるには、壁面Ｗを清掃してホコリ、汚れ、油気等を除去した後、吸着盤２を壁面Ｗに押し当てる〔図１（Ａ）参照〕。この場合、突起片１３は円弧状長穴１１に係合している。
【００１６】
この状態で、図１（Ｂ）に示すように、ボルト６を回転中心軸として操作部４を、突起片１３と円弧状長穴との係合状態が解除されるまで回転操作させる。すなわち、突起片１３は、前記操作部４の裏面ｍに移動する。これにより、前記操作部４を壁面Ｗとは直角な方向に引き上げた状態で前記ボルト６および板体９を介して吸着盤２を前記直角な方向に引き上げることができ、吸着盤２の中央部に吸着力を発生させることができる。その結果、回転式吸着具１を壁面Ｗに強力に取り付けることができる。つまり、このこの発明の回転式吸着機構では、操作部４の回転操作による突起片１３と円弧状長穴との係合関係を利用して吸着盤２を壁面Ｗとは直角な方向に引き上げている。
【００１７】
このように、吸着盤２を壁面Ｗに押し当てた状態で、操作部４をボルト６の回りに回転操作させるだけの容易な操作で確実に回転式吸着具１を壁面Ｗに取り付けることができる。
【００１８】
また、回転式吸着具１の取り付け状態から、リップ部２３をつまみ上げるだけで回転式吸着具１を壁面Ｗから簡単に取り外しできる。
【００１９】
次に、図３〜図５を用いてこの発明の一実施形態について説明する。なお、図３〜図５において、図１、図２で用いた符号と同一のものは、同一または相当物である。
【００２０】
図３〜図５において、３１は浴室壁面Ｗの例えば上部に取り付けられるシャワーホース保持具で、壁面Ｗの下部に設けた例えば湯水混合栓３２のシャワー接続部３３に取付けられるシャワーホース３４に接続されたシャワーヘッド３５を下方に向けて垂らしたままシャワーホース３４を掛け外し自在に保持・掛止する。
【００２１】
すなわち、３５は、正面に複数穴４１を備えたダイヤル式の操作部４および外周位置の前面に円弧状片４０を備えた基部３間に設けたシャワーホース保持部であり、３６は、前記基部３の外周位置に設けたシャワーホース保持部であって、シャワーヘッド３５側のシャワーホース３４を例えば二重に折り曲げ、そのそれぞれを下段のシャワーホース保持部３５と上段のシャワーホース保持部３６に掛止する。
【００２２】
この場合、吸着盤２を壁面Ｗに押し当てるだけであるので、シャワーホース保持部３５，３６の方向性を容易に定めることができる。
【００２３】
また、シャワーホース保持具３１の取り付け状態から、リップ部２３をつまみ上げるだけでシャワーホース保持具３１を壁面Ｗから簡単に取り外しできる。
【００２４】
なお、図５は図１（Ｂ）に対応している。
【００２５】
図６、図７は、壁面に吸着させる弾性材料よりなる椀形状の吸着盤２を備えた一対のホルダ５０と、両端がそれぞれ各ホルダ５０に保持された中空の棒体５１とよりなる握りバー５２に用いるこの発明の他の実施形態を示す。なお、図６、図７において、図１〜図５で用いた符号と同一のものは、同一または相当物であるので、その詳細な説明は省略する。
【００２６】
図６、図７において、各ホルダ５０は、吸着盤２と、吸着盤２の上面外周縁に当接可能に配置される基部３およびこの基部３に対して回転操作可能に配置される操作部４ならびに操作部４に対してビス５３止めされる棒体保持部５４よりなる保持具本体とを備えている。
【００２７】
更に、棒体保持部５４は、棒体５１の端が嵌挿可能に係合される係合部５５と、ビス５３穴５６と、このビス穴５６の入口５６ａ側を覆い隠すためのカバー体５７とを備えている。
【００２８】
この場合も、シャワーホース保持具３１と同様に、握りバー５２を簡易に着脱できる。
【００２９】
なお、図７は図１（Ｂ）に対応している。
【００３０】
【発明の効果】
以上説明したように、この発明によれば、シャワーホース保持具および握りバーの壁面への取り付け時において、壁を傷つけることなく、簡易に着脱できるシャワーホース保持具に用いる回転式吸着機構および握りバーに用いる回転式吸着機構を提供できる。
【図面の簡単な説明】
【図１】（Ａ）は、この発明の回転式吸着機構の原理を示すための回転式吸着具のセット初期の状態を示す構成説明図である。
（Ｂ）は、この発明の回転式吸着機構の原理を示すための回転式吸着具のセット後の状態を示す構成説明図である。
【図２】上記回転式吸着具を示す要部分解斜視図である。
【図３】この発明の一実施形態を示す全体斜視図である。
【図４】上記実施形態における正面図である。
【図５】上記実施形態における構成説明図である。
【図６】この発明の他の実施形態を示す全体斜視図である。
【図７】上記他の実施形態を示す構成説明図である。
【符号の説明】
１…回転式吸着具、２…吸着盤、３…基部、４…操作部、６…ボルト、７…六角ナット７、８…座金、９…板体、１０，１２…中央孔、１１…円弧状長穴、１３…突起片、１４…頭部、１５…ねじ部、３５，３６…シャワーホース保持部、ｍ…操作部の裏面、ｎ…基部の前面、Ｗ…壁面。
【図１】
0004361180.tif 000002
【図２】
0004361180.tif 000003
【図３】
0004361180.tif 000004
【図４】
0004361180.tif 000005
【図５】
0004361180.tif 000006
【図６】
0004361180.tif 000007
【図７】
0004361180.tif 000008